(57)【要約】      （修正有）【課題】上下に支点を有する物体に掛けることができる多目的吊索を提供する。【解決手段】スリング１０と、ちょうどにスリング１０を通して自在に移動可能な複数のフック２０と、スリング１０に穿設する長さ調節締め金具３０と、スリング１０の両端に穿設する２つの締め付け具４０と、一端に差し込み端を設けるフック５１と、嵌め継ぎ穴と締結側５２１を設け、嵌め継ぎ穴はフック５１の差し込み端がちょうどに嵌め継ぎ固定して自在に枢転でき、締結側５２１はちょうどに２つの締め付け具４０の締結に用いる連結台５２とを有する２つのフック組５０と、を備える。スリング１０両端のフック組５０により、上下に支点を有する物体に掛けることができ、フック２０に物を掛けた後は、重量の働きにより片側に変位し重心を改変してスリング１０との固定効果を形成し、物品を掛けた後のフック２０が重量を受け、下方への滑りを防止できる。【選択図】図２
0003187148.tif 000002
【実用新案登録請求の範囲】
【請求項１】
多目的吊索であって、
スリングと、
略Ｖ字型を形成し、一辺に前記スリングを通して自在に移動可能なとおり穴の穿設辺を有し、もう一辺の掛ける側が重量を受けて傾斜した後に重心が変位する原理を利用して、スリングに固定させる複数のフックと、
前記スリングを穿設する長さ調節締め金具と、
前記スリングの両端に穿設する２つの締め付け具と、
一端に差し込み端を設けるフックと、嵌め継ぎ穴と締結側とを設けていて、前記嵌め継ぎ穴は前記フックの前記差し込み端がちょうどに嵌め継ぎ固定して自在に枢転でき、前記締結側はちょうどに２つの前記締め付け具の締結に用いられる連結台とを有する２つのフック組と、を備える。
【請求項２】
前記スリングの表面に長さを表示する目盛りを設けることを特徴とする、請求項１記載の多目的吊索。
【請求項３】
前記フックの前記とおり穴は下方に偏った傾斜状を形成していて、前記とおり穴外外側の下部穴にラック歯車を設けることを特徴とする、請求項１記載の多目的吊索。
【請求項４】
前記長さ調節締め金具はフレームと、左右の前記フレームの間に位置する横方向の可動係止体とを含み、前記フレームは前記横方向の可動係止体によって、第１とおり穴と第２とおり穴を形成して、前記スリングを前記第１とおり穴より通した後に、前記第２とおり穴より引き出して、末端部を前記横方向の前記可動係止体に嵌めて固定して置き、前記スリングの長さ調節に用いられることを特徴とする、請求項１記載の多目的吊索。
【請求項５】
前記フック組の前記フックの前記フック差し込み端の末端部にかえしをつけた円柱棒であり、円柱棒の中間場所に切り取り溝を設けていて、円柱棒の前記切り取り溝の内側は突き出しストッパーをさらに設けることを特徴とする、請求項１記載の多目的吊索。
【考案の詳細な説明】
【技術分野】
【０００１】
本案はスリングに関し、特に上下に支点を有する物体に掛けることができ、フックを３６０度自在に回転して掛ける方向を調節でき、フックをスリング上の高低位置を調節することによって家庭の物品を任意に掛けられる多目的吊索に関する。
【背景技術】
【０００２】
家庭の生活には、かばん、帽子、様々な雑物が使用されている。その一部には体積が大きい、しかも押圧や畳むことはできなく、多くの人はその片付け方法を悩んでいる。さらに、保存スペースを大きく占拠してしまい、非常に乱雑である。部屋の片付けには要領を要する。使用者のニーズとしては、占拠スペースを小さくできると共に、分別整理しやすい、上手に分類でき、使用者の身長に合わせて調節できるか、掛ける物品の種類と大さに従って調節可能か、物品を掛けるたくさんのスペースを有し、室内すべての場所に適用できるかなどが挙げられる。
【考案の概要】
【考案が解決しようとする課題】
【０００３】
穴開けや貼り付けが必要な公知のフックには内装を破壊の必要があるほか、ほとんどが固定式であるほか、すきな場所に移動することはできなく、その数量を分類管理できないほか、調節不能に仕切りが固定されていて、物品の大きさまたは使用者の身長に合わせて調節ができないなど、使用の面でいろいろな制限を受けており、改善の余地はある。
【課題を解決するための手段】
【０００４】
本案は上下に支点を有する物体に掛けることができるほか、フックを３６０度自在に回転して掛ける方向を調節でき、フックがスリング上の高低位置を調節することによって家庭の物品を任意に掛けられる、多目的用途のスリングを提供する。
【０００５】
前述目的を達成するため、本案より多目的吊索を提供する。スリングと、略Ｖ字型を形成し、一辺はとおり穴を設ける穿設辺を有し、自在に移動できるようちょうどにスリングを通しており、もう一辺の掛ける側は重量を受けて傾斜し、重心の変位原理を利用して、スリングに固定させる複数のフックと、スリングに穿設する長さ調節締め金具と、スリングの両端に穿設する２つの締め付け具と、一端に差し込み端を設けるフックと、嵌め継ぎ穴と締結側とを設けていて、嵌め継ぎ穴はフックの差し込み端がちょうどに嵌め継ぎ固定して自在に枢転でき、締結側はちょうどに２つの締め付け具の締結に用いられる連結台とを有する２つのフック組と、を備える。
【０００６】
前述構成品より組み合わせた多目的吊索には、複数のフックをスリングに穿設して移動位置を自在に調節して、スリング両端部のフック組を上下に支点を有する物体に掛けて置き、衣類、ズボン、帽子、かばんなどの物品を掛けることができ、フックは物品を掛けた後に片側に変位し重心を改変して、スリングとの固定効果を形成し、物品を掛けたフックが重量を受けて、下方への滑り移動を防げる。
【図面の簡単な説明】
【０００７】
【図１】本案の立体分解図である。
【図２】本案の立面図である。
【図３】本案の平面断面図である。
【図４】本案のフックに物品を掛けた状態を示す図である。
【図５】本案を洋服ハンガーラックに適用した参考図である。
【図６】本案を洋服ハンガーラックに適用した使用態様図である。
【図７】本案を洋服タンスのそばに適用した参考図である。
【図８】本案を物置棚のそばに適用した参考図である。
【考案を実施するための形態】
【実施例】
【０００８】
図１ないし８を参照する。
【０００９】
本案は、表面に長さ目盛り１１（図２）をつけているスリング１０と、
【００１０】
略Ｖ字型を形成し、一辺にスリング１０を通して自在に移動可能なとおり穴２１０の穿設辺２１を有し、もう一辺の掛ける側２２が重量を受けて傾斜した後に、重心の変位原理を利用し、フック２０をスリング１０に固定させる複数のフック２０と、
【００１１】
スリング１０を穿設する長さ調節締め金具３０と、スリング１０の両端に穿設する２つの締め付け具４０と、一端に差し込み端５１０を設けるフック５１と、嵌め継ぎ穴５２０と締結側５２１とを設けていて、嵌め継ぎ穴５２０はフック５１の差し込み端５１０がちょうどに嵌め継ぎ固定して自在に枢転でき、締結側５２１はちょうどに２つの締め付け具４０の締結に用いられる連結台５２とを有する２つのフック組５０と、を備える。
【００１２】
前述構成品より組み合わせた多目的吊索１には、複数のフック２０をスリング１０に穿設し移動位置を自在に調節して、スリング１０両端部のフック組５０を洋服ハンガーラック下位の棒体や、タンス内部ブラケットの下位棒体など、上下に支点を有する物体に掛けて置き、フック２０に衣類、ズボン、帽子、かばんなどの物品を掛けることができ、フック２０は物品を掛けた後には重量効果により片側に変位して重心を改変し、スリング１０との固定効果を形成され、物品を掛けたフック２０が重量を受けて、下方への滑り移動を防げる。
【００１３】
引き続き、図１、４本案の多目的吊索１を参照する。そのうち、フック２０のとおり穴２１０は下方に偏った傾斜状を形成し、とおり穴２１０外側の下部穴にラック歯車２１１を設けることによって、フック２０が重量を受けて変位を形成し、スリング１０の固定に影響を与えようとするときに、フック２０とスリング１０との固定効果を向上できる。
【００１４】
図１、２本案の多目的吊索１を参照する。長さ調節締め金具３０はフレーム３１と、左右のフレーム３１の間に位置する横方向の可動係止体３２とを含み、フレーム３１は横方向の可動係止体３２によって、第１とおり穴３３と第２とおり穴３４を形成して、スリング１０を第１とおり穴３３より通した後に、第２とおり穴３４より引き出して、末端部を横方向の可動係止体３２に嵌めて固定して置き、スリング１０の長さ調節に用いられる。
【００１５】
図１、２、本案の多目的吊索１を参照する。フック組５０のフック差し込み端５１０は末端部にかえし５１１をつけた円柱棒であり、円柱棒の中間場所に切り取り溝５１２を設け、円柱棒の切り取り溝５１２の内側に突き出しストッパー５１３をさらに設けていて、かえし５１１と切り取り溝５１２を設けられた円柱棒により、弾性に連結台５２から脱けだせずに嵌め継ぎ穴５２０に嵌め込み、枢転自在の目的を達成する。
【００１６】
本案の多目的吊索１は上下に支点Ａ、Ｂを有する物体の中間に掛けることができ、図５、６に示す洋服ハンガーラックの上下棒体の間に適用した実施例、図７に示す洋服タンスの側面棒体に適用した実施例、または図８に示すラック側面の棒体に適用した実施例のとおり、本案の多目的吊索１は上下両端に備える２つのフック組５０を３６０度に回転して最適な掛ける方向を調節のほか、長さ調節締め金具３０と合わせて、様々な高度で取り付けられた２つの棒体の間で調節固定できる。さらに、フック２０はスリング１０にて、その位置を自在に調節して、物品または使用者の身長に合わせることができる。本案の多目的吊索１に衣類、ズボン、帽子、かばん、バッグなどを掛けることができ、用途は極めて幅広く、各種の雑物の収納および分類が非常に便利であり、実用性豊富の考案である。
【符号の説明】
【００１７】
１                多目的吊索
１０            スリング
１１            目盛り
２０            フック
２１            穿設辺
２１０        とおり穴
２１１        ラック歯車
２２            掛ける側
３０            長さ調節締め金具
３１            フレーム
３２            横方向の可動係止体
３３            第１とおり穴
３４            第２とおり穴
４０            締め金具
５０            フック組
５１            フック
５１０        差し込み端
５１１        かえし
５１２        切り取り溝
５１３        突き出しストッパー
５２            連結台
５２０        はめ継ぎ穴
５２１        締結側
Ａ、Ｂ        支点
【図１】
0003187148.tif 000003
【図２】
0003187148.tif 000004
【図３】
0003187148.tif 000005
【図４】
0003187148.tif 000006
【図５】
0003187148.tif 000007
【図６】
0003187148.tif 000008
【図７】
0003187148.tif 000009
【図８】
0003187148.tif 000010
【手続補正書】
【提出日】平成25年9月12日(2013.9.12)
【手続補正１】
【補正対象書類名】実用新案登録請求の範囲
【補正対象項目名】全文
【補正方法】変更
【補正の内容】
【実用新案登録請求の範囲】
【請求項１】
多目的吊索であって、
スリングと、
略Ｖ字型を形成し、一辺に前記スリングを通して自在に移動可能なとおり穴の穿設辺を有し、もう一辺の掛ける側が重量を受けて傾斜した後に重心が変位する原理を利用して、スリングに固定させる複数のフックと、
前記スリングを穿設する長さ調節締め金具と、
前記スリングの両端に穿設する２つの締め付け具と、
一端に差し込み端を設けるフックと、嵌め継ぎ穴と締結側とを設けていて、前記嵌め継ぎ穴は前記フックの前記差し込み端がちょうどに嵌め継ぎ固定して自在に枢転でき、前記締結側はちょうどに２つの前記締め付け具の締結に用いられる連結台とを有する２つのフック組と、を備える多目的吊索。
【請求項２】
前記スリングの表面に長さを表示する目盛りを設けることを特徴とする、請求項１記載の多目的吊索。
【請求項３】
前記フックの前記とおり穴は下方に偏った傾斜状を形成していて、前記とおり穴外外側の下部穴にラック歯車を設けることを特徴とする、請求項１記載の多目的吊索。
【請求項４】
前記長さ調節締め金具はフレームと、左右の前記フレームの間に位置する横方向の可動係止体とを含み、前記フレームは前記横方向の可動係止体によって、第１とおり穴と第２とおり穴を形成して、前記スリングを前記第１とおり穴より通した後に、前記第２とおり穴より引き出して、末端部を前記横方向の前記可動係止体に嵌めて固定して置き、前記スリングの長さ調節に用いられることを特徴とする、請求項１記載の多目的吊索。
【請求項５】
前記フック組の前記フックは前記フック差し込み端の末端部にかえしをつけた円柱棒であり、円柱棒の中間場所に切り取り溝を設けていて、円柱棒の前記切り取り溝の内側は突き出しストッパーをさらに設けることを特徴とする、請求項１記載の多目的吊索。